(57)【要約】【課題】  誤作動なく個室の使用状況や室内状況を外部から確認できるようにする。【解決手段】  個室に設置される端末機を備え、その端末機は少なくとも人感センサーと扉センサーと表示部と制御手段を備えている。表示部は、個室の扉が開かれて人感センサーが人の動きを検知したときに仮点灯する。制御手段は、扉が閉じられたことを扉センサーが検知してからの第１の時間が経過するまでの間、人感センサーから送信される信号をキャンセルする。表示部は、第１の時間経過後に人感センサーが人の動きを検知すると、本点灯に切り替わる。表示部は、第１の時間経過後の第２の時間内に人感センサーが人の動きを検知しないときに消灯する。【選択図】図６
2016091513.tif 000002
【特許請求の範囲】
【請求項１】
個室の使用状況や個室内の室内状況を管理することのできる個室管理システムにおいて、
前記個室に設置される端末機を備え、
前記端末機は、少なくとも個室内の人の動きを検知する人感センサーと、当該個室の扉の開閉を検知する扉センサーと、個室内の使用状況や室内状況を外部に表示する表示部と、制御手段を備え、
前記表示部は、個室の扉が開かれて人感センサーが人の動きを検知したときに仮点灯し、
前記制御手段は、前記扉が閉じられてから予め設定してある第１の時間が経過するまでの間、人感センサーから送信される信号をキャンセルし、
前記表示部は、前記第１の時間経過後に前記人感センサーが人の動きを検知すると仮点灯から本点灯に切り替わる、
ことを特徴とする個室管理システム。
【請求項２】
請求項１記載の個室管理システムにおいて、
表示部は、第１の時間が経過してから予め設定してある第２の時間内に前記人感センサーが人の動きを検知しないときに消灯する、
ことを特徴とする個室管理システム。
【請求項３】
請求項１又は請求項２記載の個室管理システムにおいて、
表示部が本点灯に切り替わってから予め設定してある第３の時間が経過する間に扉センサーが扉の開放を検知しないときに、個室内に人が必要以上に長時間（異常な長時間）滞在していることを報知する長時間滞在表示が前記表示部に表示される、
ことを特徴とする個室管理システム。
【請求項４】
請求項１から請求項３のいずれか１項に記載の個室管理システムにおいて、
表示部が本点灯に切り替わった後であって人感センサーが最後に人の動きを検知してから予め設定してある第４の時間が経過する間に人感センサーが人の動きを検知しないと、前記表示部に警報表示が表示される、
ことを特徴とする個室管理システム。
【請求項５】
請求項１から請求項４のいずれか１項に記載の個室管理システムにおいて、
個室の扉が開放されて当該個室内から人が退出し当該扉が再び閉じてから予め設定してある第５の時間が経過する間に人感センサーが人の動きを検知しないと、制御手段は、当該第５の時間が経過してから扉センサーが次に扉の開放を検知するまでの間、人感センサーからの信号をキャンセルする、
ことを特徴とする個室管理システム。
【請求項６】
請求項１から請求項５のいずれか１項に記載の個室管理システムにおいて、
個室に設置される端末機がネットワークを介して親機と接続され、
前記親機は、前記端末機から送信される信号に基づいて、前記端末機が設置された個室の使用状況や室内状況を管理可能である、
ことを特徴とする個室管理システム。
【請求項７】
請求項６記載の個室管理システムにおいて、
親機がネットワークを介して一又は二以上の外部機器と接続され、
前記親機が管理する個室の使用状況や室内状況を前記外部機器で閲覧可能である、
ことを特徴とする個室管理システム。
【発明の詳細な説明】
【技術分野】
【０００１】
本発明は、個室への人の出入り、個室内の人の有無及び状況、個室のドア（引き戸を含む）の開閉状況といった各種状況を管理するための個室管理システムに関し、特に、デパートや高速道路のサービスエリアなどの不特定多数の人が出入りするトイレのトイレブース、デパートの試着室（試着ブース）、飲食店のトイレといった、ドアやカーテンを開けて内部の使用状況を確認し難い各種個室の管理に適した個室管理システムに関する。
【背景技術】
【０００２】
デパート、サービスエリア、公共施設（例えば、学校、スポーツセンター）等のトイレには複数のトイレブースが備えられており、施設利用者は空いているトイレブースを自由に使用することができる。トイレブースには扉が常時閉まっているもの（常閉扉）があるため、扉を開けないと使用中であるのか空きであるのか判断できないことがある。このため、空いているトイレブースを探すためには、トイレブースの扉を一つずつノックするとか、開けるなどして確認する必要がある。しかし、使用中の場合は鍵のかかった扉を外からガタガタされるのは不快であり、鍵をかけ忘れた場合は不用意に扉が開けられてしまうという不都合がある。
【０００３】
また、近年、トイレブースや浴室といった個室内で高齢者が倒れる事故や、不審者が閉店時間までデパートのトイレブース内に潜んでいて、閉店後に店内を荒らしたり金品を盗んだりする犯罪も発生しており、解決策の提案が望まれている。
【０００４】
従来、個室を管理するためのシステムとして、個々のトイレブースの扉の外側にＬＥＤ等の表示ランプを設置し、外部からトイレブースの使用状態がわかるようにするとともに、トイレブース内の人の滞在時間が長すぎると外部に異常を知らせることのできるシステム（特許文献１〜４）が提案されている。特許文献１のシステムは人感センサーと計時装置を備えたもの、特許文献２のシステムは扉の施錠を検知するセンサーとタイマーを備えたもの、特許文献３及び４は人感センサーと扉開閉センサーを備えたものである。
【先行技術文献】
【特許文献】
【０００５】
【特許文献１】特開２００２−１３３５５２号公報
【特許文献２】特開２０１０−１８２１６９号公報
【特許文献３】特開２００５−３０５１２３号公報
【特許文献４】特開２０１１−１００４４１号公報
【発明の概要】
【発明が解決しようとする課題】
【０００６】
常閉扉式のトイレでは、使用にあたって、扉を開けて使用可能であるか否かを確認する必要がある。使用可能な状態であっても、便器が汚れているときや、洋式を使いたいのに和式であったときなど、利用者の希望にそぐわない個室のときは、当該個室を利用することなく別の個室を探すことになる。しかし、個室内に設置されている人感センサーは人の動きを検知するものであるため、通常は、個室内の人の動きのみならず、入口付近の人の動きをも検知する。このため、扉を開けたが中に入ることなく、すぐに扉を閉めても、入口付近（個室の外）にいる人の動きを検知して、表示ランプが点灯するという不具合が生じることがある。
【０００７】
また、近年の洋式便器には、便座や蓋が開いた状態が一定時間継続したときに、その便座や蓋が自動的に閉じる機能を備えたものもある。このような便器が設置されているトイレでは、人感センサーが便座や蓋の動きを人の動きと認識してしまい、人が入っていないにも拘わらず、表示ランプが点灯することがある。
【０００８】
このような誤動作は、本来使用できるはずの個室を、使用不可と表示するものであり、不都合がある。同様の問題は、トイレ以外の個室でも生じうることである。
【０００９】
本発明の解決課題は、前述のような誤作動が発生せず、個室内の使用中、空き、の状態を正しく表示（報知）することができ、個室内での長時間滞在による不都合を解消でき、個室内で人が倒れるなどの異常状態をいち早く外部に報知することのできる個室管理システムを提供することにある。
【課題を解決するための手段】
【００１０】
本発明の個室管理システムは、個室の使用状況や個室内の室内状況を管理することのできる個室管理システムにおいて、個室に設置される端末機を備え、前記端末機は、少なくとも個室内の人の動きを検知する人感センサーと、当該個室の扉の開閉を検知する扉センサーと、個室内の使用状況や室内状況を外部に表示する表示部と、制御手段を備え、前記表示部は、個室の扉が開かれて人感センサーが人の動きを検知したときに仮点灯し、前記制御手段は、前記扉が閉じられてから予め設定してある所定時間（第１の時間）が経過するまでは人感センサーから送信される信号をキャンセルし、前記表示部は、前記第１の時間経過後に前記人感センサーが人の動きを検知すると仮点灯から本点灯に切り替わるようにしたものである。
【００１１】
前記個室管理システムでは、表示部は、第１の時間が経過してから予め設定してある所定時間（第２の時間）内に前記人感センサーが人の動きを検知しないときに消灯するようにすることもできる。
【００１２】
前記個室管理システムでは、前記表示部が本点灯してから予め設定してある所定時間（第３の時間）が経過しても扉センサーが扉の開放を検知しないと、個室内に人が必要以上に長時間（異常な長時間）滞在していることを報知する長時間滞在表示が前記表示部に表示されるようにすることもできる。
【００１３】
前記個室管理システムでは、表示部が本点灯に切り替わった後、人感センサーが最後に人の動きを検知してから予め設定してある所定時間（第４の時間）が経過しても人感センサーが人の動きを検知しないと、個室内に異常が発生したことを報知する警報表示が前記表示部に表示されるようにすることもできる。
【００１４】
前記個室管理システムでは、個室の扉が開放されて当該個室内から人が退出して当該扉が再び閉じられてから予め設定してある所定時間（第５の時間）が経過しても人感センサーが人の動きを検知しないときは、制御手段は、当該第５の時間が経過してから扉センサーが次に扉の開放を検知するまでの間は、人感センサーからの信号をキャンセルして、退出後の空き状態の個室内で便座や蓋が自動で閉じても、その動きが人の動きと同様に検知されて表示部に表示されることがなく、個室内に人がいないにも関わらず使用中と表示される誤表示を防止できるようにすることもできる。
【００１５】
前記個室管理システムでは、個室に設置される端末機がネットワークを介して親機と接続され、前記親機は、前記端末機から送信される信号に基づいて、前記端末機が設置された個室の使用状況や室内状況を管理できるようにしてもよい。
【００１６】
前記個室管理システムにおいて、親機がネットワークを介して一又は二以上の外部機器と接続され、前記親機が管理する個室の使用状況や室内状況を前記外部機器で閲覧できるようにしてもよい。
【発明の効果】
【００１７】
本発明の個室管理システムは次の効果を奏する。
（１）個室の扉が開かれて人感センサーが人の動きを検知したタイミング（扉を開けるのと略同じタイミング）で表示部が仮点灯するため、人が扉を開けて個室内に入って扉を閉めることなく個室内に潜んでいる場合でも、当該個室内に人が潜んでいることを外部に知らせることができる。このため、閉店時間まで個室内に潜んでいた不審者が、閉店後に個室から出て店内が荒らされたり金品が盗まれたりする犯罪を防止することができる。また、個室清掃のために扉が開いているような場合にも仮点灯するため、利用者が清掃中で利用できない個室に向かう無駄を回避することもできる。
（２）仮点灯後に、人感センサーが人の動きを検知することなく第２の時間が経過すると、仮点灯した表示部が消灯するようにすれば、扉を開けたものの入室しなかった場合は表示部が消灯し、個室内に人がいないにも関わらず使用中である旨が表示される誤動作を防止することができる。
（３）扉センサーが扉の開放を検知することなく第３の時間が経過すると、表示部に長時間滞在表示が表示されるようにすれば、不適切な長時間利用者の退出を促して、他の利用者が利用できるようにすることができるため個室を有効利用できる。また、長時間滞在表示が表示されることで、不審者が潜んでいる場合に、外部にそのことを知らせて、退出を促すことができる。
（４）第４の時間内に、人感センサーが個室内での人の動きを検知しないと、表示部に警報表示されるようにすれば、個室内の人が倒れるとか具合悪くなっていることが早急に外部に報知され、人命救助ができる。
（５）第５の時間が経過してから次に扉が開放されるまでの間は、人感センサーからの信号をキャンセルするようにすれば、退出後の空き状態の個室内で便座や蓋が自動で閉じても、その動きが人の動きとして検知されて表示部に表示されることがない。このため、個室内に人がいないにも関わらず使用中と表示される誤表示を防止することができる。他方、第５の時間経過までは人感センサーからの信号がキャンセルされないため、前の利用者が退出したすぐ後に、次の利用者が当該個室内に入った場合は、新たな入室として表示部が仮点灯するため、退出と新たな入室が明確に判別されて個室の使用状況が正しく表示（報知）される。
【図面の簡単な説明】
【００１８】
【図１】本発明の個室管理システムの一例を示すものであって、パーキングエリアに設置されたトイレを管理する場合の概略図。
【図２】（ａ）はトイレブースに設置された端末機の一例を示す平面図、（ｂ）は（ａ）の正面図、（ｃ）は（ａ）のＳ−Ｓ断面図。
【図３】端末機の概要説明図。
【図４】第１〜第５の時間の一例を示すタイムチャート。
【図５】図１の個室管理システムにおける集中表示体の一例を示す正面図。
【図６】本発明の個室管理システムの動作を説明するタイムチャート。
【発明を実施するための形態】
【００１９】
（個室管理システムの実施形態）
本発明の個室管理システムの実施形態の一例を、図面を参照して説明する。一例として図１に示す個室管理システムは、パーキングエリアのトイレＴに複数設置されたトイレブースＡを管理する場合の例である。なお、トイレブースＡには、不使用時に扉Ｂ（図２（ｂ）（ｃ））が常時閉じているタイプのもの（常閉扉式トイレブース）と、扉Ｂが常時開いているタイプのもの（常開扉式トイレブース）とがあるが、ここでは前者（常閉扉式トイレブース）を一例として説明する。
【００２０】
［個室管理システムの概要］
図１は本発明の個室管理システムの概要を表したものである。図１に示すように、パーキングエリアのトイレＴには複数のトイレブースＡが設置され、それぞれのトイレブースＡに、当該トイレブースＡの状況を管理するための端末機１が一台ずつ設けられている。それぞれの端末機１は、親機２と有線又は無線で通信できるようにしてあり、当該親機２ですべての端末機１（すべてのトイレブースＡ）の情報を集中管理できるようにしてある。親機２に集められた情報は、集中表示体３に表示され、或いは外部機器４で閲覧できるようにしてある。個々の端末機１には固有のアドレスが割り当てられ、親機２との間で個別に通信できるようにしてある。通信方式は、ポーリング通信をはじめとする既存の各種通信方式を使用することができる。端末機１と親機２の通信については後述する。
【００２１】
［端末機］
図２（ａ）〜（ｃ）及び図３に示すように、前記端末機１は、トイレブースＡ内の人の動きを検知する人感センサー１１と、当該トイレブースＡの扉Ｂの開閉を検知する扉センサー１２と、トイレブースＡ内の使用状況等を外部に表示する表示部１３と、両センサー１１、１２からの信号処理、その他の信号処理をする制御手段（コンピュータ：マイコン）１４を備えている。
【００２２】
図２（ａ）〜（ｃ）に示すように、人感センサー１１はトイレブースＡに入った人の動きを検知できるようにトイレブースＡの内側に、扉センサー１２は扉Ｂと当該扉Ｂの上のフレーム（上方フレーム）Ｃに、表示部１３はトイレブースＡの外側から視認可能な位置（トイレブースＡの外壁）に、制御手段１４は信号の送受信を行う送受信部１５などと共にトイレブースＡ内に設けることもその外部に設けることもできる。端末機１は乾電池などの電源１６（図３）で動作するようにしてある。
【００２３】
［人感センサー］
人感センサー１１はトイレブースＡ内の人の動きを検知するものであり、検知範囲内で人が動いたときにその動きを検知して、信号が送受信部１５に送信されるようにしてある。人感センサー１１には各種のものを用いることができるが、この実施形態では受動赤外線検知器（パッシブセンサー）を用いている。パッシブセンサーは、人を検知すると数秒間（通常は約２秒間）、検知信号を出力し続けるものであり、人が動いている間（人感センサー１１が人を検知している間）は、約２秒間の信号出力を繰り返す。パッシブセンサーは人から放射される熱線の量の変化を検知するものであり、人であることまでを認識するものではないが、本願では、人から放射される熱線の量の変化を検知するセンサーを人感センサー１１と称する。また、説明の便宜上、本願では、人感センサー１１が人を検知している状態を人感センサーがＯＮであると表現し、人感センサーが人を検知していない状態を人感センサーがＯＦＦであると表現する。
【００２４】
［扉センサー］
扉センサー１２はトイレブースＡの扉Ｂの開閉を検知するものである。この実施形態では、扉センサー１２として既存の磁気センサーを用いている。図２（ａ）〜（ｃ）に示す例では、扉センサー１２の磁石１２ａをトイレブースＡの扉Ｂの上面に、扉センサー１２のセンサー部１２ｂを扉Ｂの上方フレームＣに取り付けて、扉Ｂの開閉を検知できるようにしてある。扉センサー１２はこれ以外であってもよく、例えば、リードスイッチや三軸デジタルコンパス、錠前の開閉により作動する錠前センサーなどで代用することもできる。なお、説明の便宜上、本願では、扉Ｂが閉じていることを扉センサー１２が検知している状態を扉センサー１２がＯＮであると表現し、扉Ｂが開いていることを扉センサー１２が検知している状態を扉センサー１２がＯＦＦであると表現する。
【００２５】
この実施形態では、制御回路によって図４に示す第１〜第５の時間が制御される（時間設定、時間経過の検知等）ようにしてある。以下の第１から第５の時間はあくまでも一例であり、この時間に制限されるものではない。
【００２６】
［第１の時間］
第１の時間は、待機状態（中に人がいない状態であって扉Ｂが閉じた状態）にあるトイレブースＡの扉Ｂが開かれ、その扉Ｂが再び閉じられたことを扉センサー１２が検知してからの所定時間であり、人感センサー１１による信号を制御手段１４側がキャンセルする時間である。第１の時間は予め設定しておく。例えば、第１の時間を２秒と設定した場合、扉Ｂが閉じられてからの２秒間は、人感センサー１１が人の動きを検知しても、当該検知信号は制御手段１４においてキャンセルされ、検知しなかったものとして処理される。第１の時間は任意に設定することができ、１秒〜５秒程度が好ましい。この実施形態では、第１の時間の経過後に、人感センサー１１が人の動きを検知すると、仮点灯した表示部１３が本点灯に切り替わるようにしてある。なお、本願では、制御手段１４において検知信号がキャンセルされる状態にあることをキャンセル状態と表現し、検知信号がキャンセルされることなく、通常どおり処理することを通常動作と表現する。
【００２７】
［第２の時間］
第２の時間は、前記第１の時間が経過してからの所定時間であり、仮点灯した表示部１３を消灯させるタイミングを判断するための時間である。第１の時間同様、第２の時間も予め設定しておく。例えば、第２の時間を２秒と設定した場合、この２秒の間に人感センサー１１が人の動きを検知しなければ、仮点灯している表示部１３は消灯する。第２の時間は任意に設定することができるが、１秒〜５秒程度が好ましい。なお、仮点灯した表示部１３は、第１の時間経過後に人感センサー１１が人の動きを検知すると本点灯に切り替わるようにしてあるが、第２の時間内に人感センサー１１が人の動きを検知した場合に、本点灯に切り替わるようにしてもよい。この場合、第２の時間は、仮点灯させた表示灯１３を消灯させるか、本点灯に切り替えるかを選択するための時間となる。
【００２８】
［第３の時間］
第３の時間は、表示部１３が本点灯に切り替わってからの所定時間であり、トイレブースＡの連続使用時間が長時間にわたっているか否かを判断するための時間である。他の時間同様、第３の時間も予め設定しておく。例えば、第３の時間を１５分と設定した場合、その時間内に人感センサー１１が人を検知すると否とを問わず、表示部１３が本点灯に切り替わってから１５分が経過したところで、使用時間が長時間にわたっている旨の表示（長時間滞在表示）が表示部１３に表示される。第３の時間は任意に設定することができるが、１０分〜２０分程度、長くても３０分以内が好ましい。
【００２９】
［第４の時間］
第４の時間は、表示部１３の本点灯後、人感センサー１１がトイレブースＡ内での人の動きを検知しなくなってからの所定の時間であり、トイレブースＡの利用者の動きが停止している時間を確認するための時間である。他の時間同様、第４の時間も予め設定しておく。例えば、第４の時間を５分と設定した場合、人感センサー１１が人の動きを検知しなくなってから（最後に人の動きを検知してから）の５分の間に人の動きがないときには、人が倒れている（具合が悪くなっている）可能性があるため、その旨を知らせる表示（警報表示）が表示部１３に表示される。第４の時間は任意に設定することができるが、５分〜１０分程度、長くても２０分以内が好ましい。
【００３０】
［第５の時間］
第５の時間は、トイレブースＡの扉Ｂが開いて当該トイレブースＡから人が退出し、当該扉Ｂが再び閉じてからの所定時間であり、人感センサー１１による信号をキャンセルするか否かを判断するための時間である。他の時間同様、第５の時間も予め設定しておく。例えば、第５の時間を１５秒と設定した場合、トイレブースＡからの退出後１５秒間は人感センサー１１を通常動作させ、当該１５秒が経過したところで、人感センサー１１の検知信号がキャンセルされる（キャンセル状態に切り替わる）。第５の時間は任意に設定することができるが、５秒〜２０秒程度、長くても当該トイレブースＡ内の便座や蓋が自動的に閉じる時間（便座によって異なるが、一例としては退出の９０秒後）よりも短い時間とする。
【００３１】
［表示部］
前記表示部１３は、トイレブースＡの外にいる人にトイレブースＡが使用中であるか否かを知らせるものであるとともに、トイレブースＡ内の滞在時間が長時間にわたっている場合に、外部にその旨を知らせたり、トイレブースＡ内で一定時間動きがない場合に、内部に異常が生じている可能性があることを、外部に知らせたりするものである。この実施形態では、表示部１３としてＬＥＤ照明を使用しており、使用中のときはＬＥＤ照明が点灯し、空き状態のときはＬＥＤが消灯するようにしてある。また、長時間滞在である旨を表示するときは、ＬＥＤ照明が所定のリズム（仮に「リズムＡ」とする）で点滅するようにしてあり、内部に異常が生じている可能性がある旨を表示するときは、ＬＥＤ照明がリズムＡとは異なるリズム（仮に「リズムＢ」とする）で点滅するようにしてある。
【００３２】
表示部１３の表示は外にいる人にトイレブースＡの状況を知らせることができればこれ以外であってもよく、例えば、トイレブースＡが空いている場合には「未使用」や「空室」の文字が表示され、使用中の場合に「使用中」や「在室」の文字が表示されるようにしてもよい。また、使用中か否かを表示する部分、長時間滞在表示をする部分、警報表示をする部分を別々に設けておき、状況に応じてそれらが選択的に点灯するようにしてもよい。
【００３３】
［親機］
前記親機２は、端末機１から送信されるトイレブースＡに関する情報（個室情報信号）を受信して、パーキングエリアのトイレＴ内に設置されたすべてのトイレブースＡの使用状況（空き状態か使用中か。本願において同じ。）又は／及び室内状況（長時間滞在表示や警報表示がされているか否か。本願において同じ。）を一元管理するものである。親機２は、少なくとも、端末機１から送信される信号の受信、受信信号の処理、処理した情報の外部への送信を行うことができるものであればよく、例えば、当該処理が可能なソフト（アプリケーション）を組み込んだパソコンなどを用いることができる。親機２には、例えば、個々のトイレブースＡの端末機１から、トイレブースＡの状況に関する信号が親機２に送信され、端末機１の表示部１３と同様の表示がされるようにすることができる。この実施形態では、親機２をパーキングエリアのトイレＴを管理する管理人室（図示しない）に設置してあり、当該親機２での処理情報を親機２に接続されたディスプレイで確認できるようにしてある。親機２の設置場所は、管理するトイレブースＡの数や用途等に応じて決定すればよい。親機２は必ずしも必要ではなく、端末機１と外部機器４を中継するための中継器（図示しない）を用いることもできる。
【００３４】
［集中表示体］
前記集中表示体３は、すべてのトイレブースＡの使用状況や室内状況をまとめて表示するものである。一例として図５に示す集中表示体３は、実際のパーキングエリアのトイレＴを模式化したものであり、トイレブースＡの表示部１３の点灯・消灯と連動するようにしてある。集中表示体３では、パーキングエリア内に設置されたすべてのトイレブースＡの使用状況や室内状況のほか、便座が和式であるか洋式であるか等を一見して確認できるようにしてある。
【００３５】
具体的には、あるトイレブースＡが使用中である（当該トイレブースＡの表示部１３が点灯している）ときは、集中表示体３の対応部分が点灯するようにし、トイレブースＡが空き状態となる（当該トイレブースＡの表示部１３が消灯する）と、集中表示体３の対応部分が消灯するようにしてある。この実施形態では、集中表示体３をトイレＴの入口の外側の壁面に設ける場合を一例としているが、集中表示体３は、トイレＴの入口の内側の壁面など、入口の外側の壁面以外の場所に設けることもできる。集中表示体３は、端末機1と直接連動させることのほか、親機２と連動させることもできる。
【００３６】
［外部機器］
この実施形態では、親機２で処理された情報を外部機器４で確認できるようにしてある。外部機器４としては、例えば、携帯電話、スマートフォン、タブレット端末、ノートＰＣ、本発明の個室管理システム用の専用機、その他ネットワーク通信が可能な各種端末を用いることができる。外部機器４で情報を確認する場合、例えば、本件個室管理システムに関するアプリケーションをダウンロードし、当該アプリケーションを通じて、トイレＴの状況を確認できるようにすることができる。アプリケーションでの表示方法は外部機器４に応じて適宜設計することができるが、いずれの場合も少なくとも集中表示体３と同様の情報を確認できるようにするのが好ましい。
【００３７】
［端末機と親機の動作］
前記端末機１と親機２の間の動作について説明する。端末機１で処理された信号は親機２へ送信され、当該端末機１が設置されたトイレブースＡの使用状況や室内状況を親機２で確認できるようにしてある。パーキングエリアのようにトイレブースＡが複数あるときは、それぞれのトイレブースＡに設置された端末機１での検知信号が親機２に送信され、それら端末機１が設置されたすべてのトイレブースＡの使用状況や室内状況を親機２で一元的に把握できるようにしてある。親機２において長時間滞在表示や警報表示がされたトイレブースＡを確認したときは、管理人や作業員が当該トイレブースＡに出向くなどして、速やかに必要な対応をとることができる。
【００３８】
端末機１と親機２の間では、端末機１が正常に動作しているか否かを確認するために通信を行うこともできる。端末機１の人感センサー１１や扉センサー１２、表示部１３、制御手段１４、送受信部１５、電源１６等の設備は常に通常動作するとは限らず、故障したりバッテリ不足になったりすることがある。このため、これら異常を検知するために、親機２から端末機１に定期的に呼び出し信号を送り、呼び出された端末機１からの応答信号を受信して前記設備の異常を検知できるようにしてある。
【００３９】
親機２は制御手段１４内のプログラムにより、端末機１からの受信信号レベルの高低から端末機１の電池電圧（電池残量）を検知するとか、端末機１から受信する電流によって端末機１側の表示部１３の故障等を確認することができる。これら電池残量、表示部１３の故障、トイレブースＡの異常等が検知されたときは、当該端末機１が設置されているトイレブースＡに管理人や作業員が出向いて、速やかに電池交換や設備の修理、部品交換等を行うことができる。
【００４０】
（個室管理システムのその他の実施形態）
前記実施形態では、扉Ｂが開いて人感センサー１１が人の動きを検知したとき（人感センサーがＯＮになったとき）に表示部１３が仮点灯するようにしてあるが、人感センサー１１が人の動きを検知したか否かを問わず、扉センサー１２が扉Ｂの開放を検知したとき（扉センサー１２がＯＦＦになったとき）に表示部１３が仮点灯するようにすることもできる。また、扉センサー１２によって扉Ｂが開いたことが検知され、且つ人感センサー１１によって人の動きが検知されたとき（扉センサー１２がＯＦＦで、且つ人感センサー１１がＯＮになったとき）や、人感センサー１１によって人の動きが検知され、且つ扉センサー１２によって扉Ｂが閉じられたことが検知されとき（人感センサー１１と扉センサー１２の双方がＯＮになったとき）に、表示部１３が仮点灯するようにしてもよい。
【００４１】
前記実施形態では、パーキングエリアに設置されたトイレブースＡを管理する場合を一例としているが、本発明の個室管理システムは、パーキングエリアのほか、スタジアム、展示会場、飲食店、公共施設、宿泊施設、カプセルホテル、温泉施設、プール施設、スポーツジムといった、不特定多数の人が利用する施設に設置されるトイレＴの管理に利用することができる。例えば、デパートや高層ビルのように多数階にあるトイレＴのトイレブースＡを管理するときは、夫々の階のトイレブースＡに端末機１を設置するとともに、それらすべてのトイレブースＡの情報を集中表示体３で集中管理するようにすることができる。この場合、すべて或いは数階のトイレブースＡの使用状況を一つの集中表示体３に表示できるようにするのが好ましい。二以上の階のトイレブースＡの使用状況を一つの階の集中表示体３に表示することにより、各階のトイレブースＡの使用状況を一覧できて、空いている階のトイレブースＡを使用し易いというメリットがある。
【００４２】
前記実施形態では、常閉扉のトイレブースＡを一例としているが、トイレブースＡが常開扉のトイレブースＡの場合も、基本動作はこれと同様である。常開扉のトイレブースＡの場合、待機状態では、人感センサー１１と扉センサー１２の双方がＯＦＦであり、表示部１３は消灯している点で常閉扉のトイレブースＡと異なるが、それ以外の基本的な動作（扉Ｂが閉じた後のキャンセル、仮点灯から本点灯への切り替わり、仮点灯から消灯への切り替わり、長時間滞在の場合の表示、一定時間人が動かなかった場合の警報表示等）は常閉扉のトイレブースＡの場合も同様である。なお、本願における扉Ｂには、手前側と個室内側に回転する扉のほか、横方向にスライドする引き戸も含まれる。
【００４３】
（個室管理システムの動作）
図１に示す個室管理システムの動作を、図６のタイムチャートに基づいて説明する。
【００４４】
［待機状態］
トイレブースＡが待機状態にあるとき、人感センサー１１はＯＦＦ、扉センサー１２はＯＮであり、表示部１３は消灯している。待機状態では、人感センサー１１の検知信号は制御手段１４においてキャンセルされる状態（キャンセル状態）にあり、この状態は扉Ｂが開くと同時に通常動作に切り替わる（検知信号が制御手段１４で通常通り処理される）。
【００４５】
［表示部の仮点灯］
利用者によって扉Ｂが開けられると、扉Ｂが開いたことを扉センサー１２が検知し、扉センサー１２がＯＦＦになる。また、扉Ｂが開くと同時又は略同時に人感センサー１１が入室する人を検知して人感センサー１１がＯＮになる。扉Ｂが開いて人感センサー１１が人を検知すると、表示部１３が仮点灯する（使用中である旨が仮表示される）。
【００４６】
［表示部の本点灯又は消灯］
人がトイレブースＡ内に入室し、扉Ｂが閉じられると、扉Ｂが閉まったことを扉センサー１２が検知し、扉センサー１２がＯＮになる。扉センサー１２は次に扉Ｂが開かれるまではＯＮ状態が保たれる。扉Ｂが閉じられると（扉Ｂが閉まったことを扉センサー１２が検知すると）、制御手段１４がキャンセル状態に切り替わり、人感センサー１１による検知信号がキャンセルされる。キャンセル状態は、予め設定された第１の時間（例えば、扉Ｂが閉じられた後の２秒間）が経過するまで保たれる。
【００４７】
第１の時間が経過すると、制御手段１４はキャンセル状態から通常動作に切り替わり、人感センサー１１による検知信号が制御手段１４において通常通り処理される。通常動作に切り替わった人感センサー１１は、次に扉Ｂが開いた後、一定時間（後述する第５の時間）が経過するまでは正常動作を続ける。
【００４８】
前記第１の時間経過後、人感センサー１１が人の動きを検知すると、表示部１３が本点灯に切り替わる。前記第１の時間経過後第２の時間内（図６のＸ部分）に人感センサー１１が人の動きを検知しないときは、仮点灯していた表示部１３は消灯する。
【００４９】
扉Ｂを開けてトイレブースＡに入室した場合、ベルトをはずす、ズボンを下ろす等の動作をするのが通常であるため、表示部１３は本点灯に切り替わるが、扉Ｂを開けたものの当該トイレブースＡに入室しなかったような場合には、扉Ｂが閉まった後に人感センサー１１が人を検知することはないため、表示部１３が消灯され、人がトイレブースＡの中にいないにも関わらず表示部１３が点灯し続けるという不具合を生じることはない。なお、表示部１３が消灯された後は待機状態に戻る。
【００５０】
本発明においてキャンセル時間（第１の時間）を設定したのは、次のような事態を回避するためである。例えば、トイレブースＡを利用しようとした者が扉Ｂを開けたものの、中に入ることなく扉Ｂを閉めたとする。この場合、扉Ｂが開いてから閉じるまでの間に人感センサー１１が人を検知すると、その後２秒間は人感センサー１１による検知信号が出力され続ける。したがって、当該トイレブースＡの扉Ｂが、人感センサー１１による検知の１秒後に閉じたとすると、扉Ｂが閉まる前後の１秒間（合計２秒間）は、人感センサー１１がＯＮの状態となる。この場合、扉センサー１２がＯＮになった後に人感センサー１１がＯＮになったときに表示部１３が本点灯に切り替わるように設定してあると、中に人がいるか否かを問わず、表示部１３が本点灯に切り替わる。つまり、キャンセル時間を設定しない場合には、中に人がいないにも関わらず、表示部１３が点灯し続けるという不具合が生じる可能性があるが、本発明では、前述のキャンセル時間を設定することによって前記不具合を回避することができる。
【００５１】
［表示部の長時間滞在表示］
表示部１３が本点灯に切り替わった後、予め設定された第３の時間（例えば、１５分間）が経過するまでの間（図６のＹ部分）に、扉センサー１２が扉Ｂの開放を検知しなかった場合（当該第３の時間内に扉センサー１２がＯＮにならなかった場合）、表示部１３が本点灯から長時間滞在表示に切り替わる。長時間滞在表示は、次に扉Ｂが開かれるまで継続する。
【００５２】
［表示部の警報表示］
表示部１３は、本点灯に切り替わった後、人感センサー１１が最後に人の動きを検知してからの第４の時間（例えば、人感センサー１１が最後に人の動きを検知してからの５分間）が経過するまでの間（図６のＺ部分）に、人感センサー１１が人を検知しなかった場合（当該時間内に人感センサー１１がＯＮにならなかった場合）、表示部１３が本点灯から警報表示に切り替わる。警報表示は、次に扉Ｂが開かれるまで継続する。
【００５３】
以上の動作説明では、便宜上一つのトイレブースＡの動作について説明したが、他のトイレブースＡについても同様である。また、ネットワークを介して親機２、集中表示体３及び外部機器４が接続されている場合には、端末機１側の使用状況や室内状況はそれら各機器でも確認することができる。
【産業上の利用可能性】
【００５４】
本発明の個室管理システムは、トイレブースＡのほか、浴室、シャワー室、更衣室、試着室といった各種の個室（ブース）の管理にも用いることができる。
【符号の説明】
【００５５】
１      端末機
２      親機
３      集中表示体
４      外部機器
１１    人感センサー
１２    扉センサー
１２ａ  磁石
１２ｂ  センサー部
１３    表示部
１４    制御手段
１５    送受信部
１６    電源
Ａ      トイレブース
Ｂ      扉
Ｃ      上方フレーム
Ｔ      トイレ
【図１】
2016091513.tif 000003
【図２】
2016091513.tif 000004
【図３】
2016091513.tif 000005
【図４】
2016091513.tif 000006
【図５】
2016091513.tif 000007
【図６】
2016091513.tif 000008